(57)【特許請求の範囲】
【請求項１】
円形乃至は円形に近い平面形状の天板を有して移動可能に形成したコアテーブルと、該コアテーブルの周囲に配置できると共に、移動可能に形成した前記コアテーブルと高さが異なる複数台のサイドテーブルであってその天板が向う側の辺と手前側の辺が緩やかな円弧状乃至はその半径と同等乃至は近似した半径の多角形状で略ラクビーボール状の平面投影形状をなすサイドテーブルと、該サイドテーブルの天板の辺とほぼ同等の半径で凹状に弯曲形成されかつ前記コアテーブルの天板の下に周設されたガード部材を有し、前記各テーブルを個々に移動して任意の位置で使用する一方、前記コアテーブルを中心に置きその周囲に各サイドテーブルをその天板の辺が平面から視て前記ガード部材に沿うように配置して使用するようにしたことを特徴とするテーブルシステム。
【請求項２】
サイドテーブルは、その天板の高さをコアテーブルの天板の直下に入る高さに形成した請求項１のテーブルシステム。
【請求項３】
複数台のサイドテーブルは、コアテーブルを中心に置いてその脚に沿って集合すると、各サイドテーブルの天板の外縁が全体として平面略円形状をなして連なるように形成した請求項１又は２のテーブルシステム。
【請求項４】
サイドテーブルの天板の半径は、コアテーブルの天板の半径より大きな半径に形成した請求項１〜３のいずれかのテーブルシステム。
【請求項５】
コアテーブルより高い天板と該天板の左右側を支持した脚を有すると共に、前記脚のうち天板の一側を１本の脚により支持するように形成した載置台となるワゴンを、前記コアテーブルの周囲に配置するか、又は、適宜の場所に配置して使用するようにした請求項１〜３のいずれかのテーブルシステム。
【請求項６】
サイドテーブルは、天板を折畳み構造に形成した請求項１〜５のいずれかのテーブルシステム。
【請求項７】
各テーブル及び載置台となるワゴンは脚にキャスタ等による移動手段を設けた請求項１〜６のいずれかのテーブルシステム。
【発明の詳細な説明】
【０００１】
【発明の属する技術分野】
本発明は複数種類の天板形状を持つ複数台のテーブルを組合せて一つにまとまったテーブル形態に集合させて使用したり、各テーブルを分離して個々に使用することもできるテーブルに関する。
【０００２】
【従来の技術】
最近のオフィスにおける執務環境は、急速なＯＡ化の進展やパソコン等を使用した情報交換手段の拡張に伴い、従来型のデスクや椅子を室内に固定的に配置した形態や、テーブルや椅子を固定的に配置した会議室での執務形態や業務形態に大きな変化が現れるようになった。
【０００３】
その典型例としては、複数のメンバーによりある業務（テーマ）を遂行する場合、当該メンバーが常に一緒の場所に居て一つのテーブルで討議をしたり、個々の作業を行うのではなく、メンバー全員が集合してテーマに関する情報等を検討するときには、一堂に会し、個々人が分担する作業については、各人がそれぞれの作業スペースにおいて執務を行うという、いわゆるコラボレーション（Collaboration）といわれる形態での業務遂行形態である。
【０００４】
このような業務遂行形態を採る場合、既存のオフィス家具を利用すると、例えば各メンバーがパーソナルユースのテーブルを一箇所に持寄ったり、会議室や打合せコーナーを使って全メンバーで情報の交換や討議などを行い、個々のメンバーの分担業務は、各人の個人用デスク等に資料等を持返って業務を行うといった形態となる。
【０００５】
しかし、上記のような業務形態では、パーソナルユースのテーブルを夫々に持ち寄って形成される各テーブルの天板によるスペースは、個々のテーブルの天板スペースでしかないため、例えば全員で見なければならない資料などの開示などをするための共通スペースが造れないという問題がある。この点は、従来タイプの会議室を利用した場合においても、ほぼ同様である。
【０００６】
また、個々人が持ち寄るパーソナルユースのテーブルは、元来、個人使用のために設計，デザインされているため、これを集合してもメンバー全員が互に向き合った形、例えば、環状になるようにテーブルを配置するには、余計な配置スペースを必要とすることとなり、この面での合理性に欠ける。また、パーソナルユースのテーブルはもともと一人用であるため、このテーブルを使って少人数とはいえ、複数の者が席に着いて打合せ等を行うには、テーブルの形態、或は、天板スペースから見ても不向きでもある。
【０００７】
【発明が解決しようとする課題】
本発明は、上記のようないわゆるコラボレーション形態でのオフィスワークに対応できていない現状のオフィス家具に鑑み、特に、コラボレーション形態でのオフィスワークに使用して好適なことは勿論、従来型の個々のテーブルとしても利用できるテーブルシステムを提供することを、その課題とする。
【０００８】
【課題を解決するための手段】
上記課題を解決することを目的としてなされた本発明テーブルシステムの構成は、円形乃至は円形に近い平面形状の天板を有して移動可能に形成したコアテーブルと、該コアテーブルの周囲に配置できると共に、移動可能に形成した前記コアテーブルと高さが異なる複数台のサイドテーブルであってその天板が向う側の辺と手前側の辺が緩やかな円弧状乃至はその半径と同等乃至は近似した半径の多角形状で略ラクビーボール状の平面投影形状をなすサイドテーブルと、該サイドテーブルの天板の辺とほぼ同等の半径で凹状に弯曲形成されかつ前記コアテーブルの天板の下に周設されたガード部材を有し、前記各テーブルを個々に移動して任意の位置で使用する一方、前記コアテーブルを中心に置きその周囲に各サイドテーブルをその天板の辺が平面から視て前記ガード部材に沿うように配置して使用するようにしたことを特徴とするものである。
【０００９】
上記構成の本発明テーブルシステムでは、各テーブルの移動を容易にするため各テーブルの脚下端にはキャスタ等による移動手段を具備させる。また、このテーブルシステムでは、サイドテーブルは少なくとも３台あることが望ましいが、４台又はそれ以上であってもよい。サイドテーブルの台数は、コアテーブルの天板の大きさ、並びに、サイドテーブルの天板の大きさと平面形状を適宜に設定することにより、任意の台数で使用することが可能になる。更に、サイドテーブルは、その天板の高さをコアテーブルの天板の直下に余り隙間なく入る高さに形成し、また、その天板に折畳み構造のものを使用すると、不使用時の格納などにおいて有利になる。
【００１０】
上記のような具体的な態様例に鑑みると、本発明テーブルシステムのより具体的な構成として、次の構成を採ることができる。即ち、サイドテーブルは、その天板の平面形状を、左右方向の向う側と手前側の辺が緩やかな円弧状乃至はその曲率半径と同じか近似した半径の多角形状をなすように形成すると共に、前記曲率半径を、コアテーブルの天板の曲率半径とほぼ同心をなす曲率半径をなすように形成する。
【００１１】
【発明の実施の形態】
次に本発明の実施の形態例について、図を引用して説明する。説明に先立ち、各図の説明をする。図１〜図３は本発明テーブルシステムにおけるコアテーブルの一例を示す図で、図１はコアテーブルの右半を断面にした平面図、図２は図１のテーブルの正面図、図３は図１のテーブルの右側面図、図４〜図７は本発明テーブルシステムに用いるサイドテーブルの一例を示す図で、図４はそのサイドテーブルの右半を断面にした平面図、図５は図４のテーブルの正面図、図６は図４のテーブルの右側面図、図７は図４のテーブルの天板を折畳んだ右側面図、図８〜図10は本発明テーブルシステムに用いるワゴン型載置台（以下、ワゴンという）の一例を示す図で、図８はそのワゴンの上半を断面にした平面図、図９は正面図、図10は右側面図、図11〜図13は図１〜図10により示したコアテーブル、サイドテーブル、ワゴンを組合せ状態例を説明するための図で、図11はその平面図、図12は図11の正面図、図13は右側面図、図14〜図20は、それぞれ本発明テーブルシステムにおけるテーブルの配置態様例とその使用状態を示す第一例から第七例のそれぞれの平面図である。
【００１２】
図１〜図３において、本発明テーブルシステムに使用する一例のコアテーブルＡは、次の構成を具備している。１はこのテーブルＡにおける円形の天板で、その下面の３箇所が120°ピッチで配置される３本の脚２，３，４により支持されている。各脚２〜４は、下端に移動手段の一例として自在キャスタ2a，3a，4aを具備すると共に、各脚２，３，４の間が、図の例では天板１の中心側に向って凹陥弯曲した凹面に形成した、一例としてパンチングメタル製のガード部材５，６，７により連結されている。なお、ガード部材５〜７の弯曲の半径は、コアテーブルＡの天板１の半径とほぼ同じ半径、具体的には後述するサイドテーブルＢにおける天板21の辺21aの半径とほぼ同半径に形成されている。また、天板１の下面においては、前記ガード部材５〜７に囲まれた内部側に、天板１の上などで使用するパソコン等の電源線や通信線（図示せず）などの余長部分を収容処理するワイヤリング用の２枚の棚板８，９が設けられている。8aは配線挿通のため棚板８に形成した切欠である。
【００１３】
上記コアテーブルＡの天板１においては、この天板１の上面をその外周形状に沿った内側の全面を適宜凹陥した平面1aに形成すると共に該凹陥平面1aの中に、中心に回転軸10を凸出形成した薄い円板状の回転体（図示せず）を配置し、この回転体の上に、前記軸10にその中心穴（図示せず）が挿入される平面円形状のいわゆるホワイトボード11を載置することにより、コアテーブルＡの使用者が該テーブルＡの周囲から前記ホワイトボード11を自由に回転できるように形成されている。11aはこのボード11を回転させるための手掛かり穴である。ここで、前記ホワイトボード11は、その裏面を通常の化粧ボード仕様に形成しており、従って、当該ボード11の表裏を反転させて天板１の上で使用したり、或は、天板１から取外して前記手掛かり穴11aを適宜立壁面の掛具等に引掛けて吊下げ、立面タイプのホワイトボードやピンナップボードなどとして利用することもできる。なお、上記ホワイトボード11は、図示しないが、直接、平板状に形成された天板１の上に回転可能に配設する形態で設けてもよい。この場合、天板１と前記ボード11において、回転軸とその軸に挿入される穴は、両部材１，11に相対的に形成されれば足りる。
【００１４】
本発明テーブルシステムにおいて、コアテーブルＡの天板１は上記例の円形に限られるものではなく、例えば円に近い平面形状の六角形や八角形などの多角形であってもよい。また、脚２〜４も、上記例では３本であるが４本以上設けることも可能である。ここで、ガード部材５〜７が凹状に弯曲しているのは、後に述べるサイドテーブルＢとの干渉を避けるためであるが、ガード部材５〜７がサイドテーブルＢの天板21の辺21aと同等の半径で凹状に弯曲形成されていると、使用者は上記ガード部材５〜７に沿ってサイドテーブルＢを配置できることを視覚的に把握できる利点があるから、コアテーブルＡとサイドテーブルＢとの様々な態様での組合せ配置をスムーズに行う上で、効果的である。なお、ガード部材５〜７はコアテーブルＡに必らず設けなければならない部材ではない。また、移動手段は自在キャスタ2a〜4a以外のもの、例えばボールキャスタやスライダ（滑り子）などの場合もある。
【００１５】
上記の構成のコアテーブルＡに対し、本発明システムでは、従来のパーソナルユーステーブルに代わるものとして、サイドテーブルＢに、一例として次のように構成を具備したものを用いる。以下、図４〜図７によりサイドテーブルＢの構成例について説明する。図示したサイドテーブルＢにおいて、21は平面からみてほぼレモン或はラクビーボールの平面投影形状をなす天板で、ここでは図４における天板21の上，下辺21a，21bが、先に述べたコアテーブルＡの天板１の半径よりも大きな半径を持つ辺であって、両辺21a，21bが上下で対称的に形成されている。なお、この上，下辺21a，21bも、その曲率に沿うものであれば、多角形の辺状に形成することもできる。また、天板21の左右エンドは、カットされた形状とすることもある。天板21の上，下辺21a，21bが対称的に形成されていることにより、このテーブルＢの使用時の着席位置に方向性がなくなる。また、この点はコアテーブルとの組合せにおいても同様である。
【００１６】
22は前記天板21において、その裏面の長さ方向（図４の左右）に配置した横フレームで、図示した例ではこのフレーム22の左右の側端に、当該天板21の起伏（水平，垂直）機構22a，22bを具備すると共に、該機構22a，22bに連結された左右の１本脚23，24が設けられている。25は前記横フレーム22の略中央部位、即ち、天板21の裏面センターから垂下させて設けたセンター脚支柱で、その下端には、図４の天板21の前後方向に延びた水平な足26，27が設けられている。左右の１本脚23，24の下端と天板21の中央下部に位置した足26，27の外側端には、自在キャスタ23a，24a，26a，27aが設けられている。
【００１７】
28は左，右の１本脚23，24とセンター脚支柱25とを、それらの上部において結合する梁状の結合部材、29は天板の折畳，組立て用の操作軸で、横フレーム22と平行に設けられて起伏機構22a，22bに結合されており、以上の天板21から操作軸29までの各部材により、サイドテーブルＢの一例が形成されている。ここで、サイドテーブルＢの天板21の高さは、コアテーブルＡの天板１に対し、当該天板１の下面直下に余り隙間を作らずに進入できる高さに予め設定されていることが好ましい。
【００１８】
上記のコアテーブルＡとサイドテーブルＢは、そのサイドテーブルＢの天板21の平面形状、並びに、天板21の高さ（天板１よりも低い）、及び、左右の１本の脚23，24とセンター脚25の下部に設けた足26，27の配置形態（具体的には、天板21の下に平面から見て略十字状をなすような配置）と、コアテーブルＡの３本の脚２〜４の配置形態によって、図14に例示するように、１台のコアテーブルＡを中心にして、その周囲に図示した例では３台のサイドテーブルＢを環状に並べる。このような配置形態例を採ると、あたかも、３台のサイドテーブルＢの３枚の天板21が形成する略環状をなす大きな１枚の天板の中心に、コアテーブルＡの天板１が、その天板１の厚さ分程度高くなった、いわば会議テーブルや打合せテーブルのような形態が創成される。
【００１９】
本発明では、上記のような１台のコアテーブルＡと３台のサイドテーブルＢの配置形態において、例えばプロジェクタや資料などを載せる台として、図８〜図10により説明する載置台機能を有するワゴンＣを使用するので、次にこのワゴンＣについて説明する。
【００２０】
ワゴンＣは、図８に例示するように、平面から見て横長で異形の略三角形乃至は四角形状をなす天板31と、この天板31における三角形の頂点側の下（図８の左側）に配置した逆Ｔ字状をなす脚32と、三角形の底辺側の下（図８の右側）に配した２本の脚33，34と、前記３本の脚32〜34に支持されて高さ方向の中間部に設けた棚35を具備して形成されている。なお、脚32はその下部に設けた足36，37の外端部に、また、脚33，34はそれらの下端に、自在キャスタ36a，37a、同33a，34aを具備している点は、先のテーブルＡ，Ｂの場合と同様であるが、天板31の高さは、前記コアテーブルＡの天板１よりも高く位置するように調整して形成されている。このワゴンＣにおいては、天板31を２本の脚33，34の上端部に起伏可能に結合すると共に、脚32を天板31の裏面に対し折畳み可能にすることにより、天板31を折畳み構造にすることもある。この場合、脚33，34の下端には、折畳み時の自立のために水平に延びた足（図示せず）を設ける。
【００２１】
上記のように形成される２種類のテーブルＡ，ＢとワゴンＣは、夫々の天板１，21，31の高さ違いなどの要因によって、図11〜図13に例示する形態例をもってコアテーブルＡに対して配設することができる。そして、これらのテーブルＡ，ＢとワゴンＣとは、各天板１，21，31の高さ違いのほか、夫々の天板１，21，31を支える夫々の脚の配設形態によって、サイドテーブルＢ，ワゴンＣをコアテーブルＡの周囲に配置しても、各構成部材が干渉することなく、図11〜図13に例示するような各天板１，21，31の上下関係、並びに、各天板を支えた夫々の脚同士の関係において、互に干渉することなく配置できるので、本発明テーブルシステムでは、図14〜図20に例示したような平面配置形態を展開でき、夫々の配置状態において、様々な業務や作業などに利用することができる。以下、図14〜図20により利用形態例について説明する。
【００２２】
図14は、１台のコアテーブルＡと３台のサイドテーブルＢを用いた本発明テーブルシステムの第一例の使用態様を示す模式的平面図で、この図では、中心に位置したコアテーブルＡの天板１の周囲に、３台のサイドテーブルＢが略120度間隔で並べられることにより、各サイドテーブルＢの天板21の辺21aが、コアテーブルＡにおける３本の脚２，３，４、並びに、ガード部材５，６，７といずれも干渉することなく配置されている。
【００２３】
このレイアウトにおいて、三名のメンバーM1〜M3はそれぞれコアテーブルＡの天板１に十分に手が届くので、当該コアテーブルＡの天板１の上に共通資料等を置き、夫々のサイドテーブルＢに着いた３名のメンバーM1，M2，M3がコアテーブルＡの天板１の上の資料を互に扱ったり、見たりしながら、夫々のサイドテーブルＢの天板21の上で、自分のパソコンなどに記録したりノートに記帳するなど、必要な作業を行うことができる。また、コアテーブルＡの天板１には、回転可能なホワイトボード11が設けられているので、各メンバーM1〜M3は、当該ボード11を回転させてその向きを自由に変え、ここでの打合せなどに必要な内容（テーマなど）をこのボード11に描いたり、このボード11を天板１から取外してその手掛かり穴11aにおいて壁面などに吊って使用することにより、共同作業や打合せなどに入る、といった作業態様を採ることができる。
【００２４】
図15は、図14と同じレイアウトに配置した本発明テーブルシステムを、６人のメンバーM1〜M6により使用できる本発明テーブルシステムの第二例を示したものである。図15のレイアウト並びにメンバーM1〜M6の配置においても、各メンバーは、コアテーブルＡの天板１、並びに、その上のホワイトボード11に余裕を以て手が届くので、図14に示した例の場合と同様の共同作業などを行うことができる。
【００２５】
上記のように、本発明テーブルシステムでは、同じレイアウトのテーブルＡ，Ｂの配置により、３名〜６名までの人員（メンバー）が、中心のコアテーブルＡの天板１を利用し乍ら、その周りに環状に配置した３台のサイドテーブルＢにおける各天板21の上で所要の作業などを行うことができる。これは、サイドテーブルＢの天板21の平面形状が略レモン状乃至はラクビーボール状をなしているので、これをコアテーブルＡの周囲に環状に配置すると、環状に並べた３台のサイドテーブルＢの天板21があたかも一枚の環状天板のようになるからである。
【００２６】
また、各サイドテーブルＢの天板21の上、或は、コアテーブルＡの天板１の上でパソコン等のＯＡ機器、或は、各種のレコーダ等を使用する場合、それらの電源用，通信用の配線は、床などから切欠8aを経由するなどしてコアテーブルＡの棚８，９の上に引込み、ガード部材５〜７と天板１の間の隙間から天板１の上に引出して使用する。なお、前記ガード部材５〜７のうち、少なくとも１枚はコアテーブルＡのガード部材５〜７の支持部、例えば、脚２〜４に対して着脱自在又は開閉自在に設け、前記棚８又は９に載置されることがあるサーバ等の機器類の出入れやメンテナンスが行い易いように形成されている。
【００２７】
図16は、図14，図15に示した本発明テーブルシステムの２組を、１台のサイドテーブルＢを共有する形態で、並列配置した本発明テーブルシステムの第三例を示す平面図である。このレイアウトを採ると、２台のコアテーブルＡ，Ａを２つの中心とする略長円形をなす４台のサイドテーブルＢの配置を実現できる。このレイアウト例においては、２台のコアテーブルＡ，Ａの間に位置した共用サイドテーブルＢの天板21が、その辺21a，21bが対称的であることにより２台のコアテーブルＡ，Ａの間に生じる隙間を整然と埋める作用をする。
【００２８】
図17は、図14，図15に示したレイアウト例と同じ１台のコアテーブルＡと３台のサイドテーブルＢを使用するが、各サイドテーブルＢの配置態様を、各天板21における上辺1aの右半側をコアテーブルＡの天板１の下に位置付けた本発明テーブルシステムにおける第四のレイアウト例を示すものである。
【００２９】
コアテーブルＡに対して図17のようなサイドテーブルＢの配置形態を採ると、３名のメンバーM1〜M3は、図14，図15の例に比べ、よりコアテーブルＡに近い位置に着くことができると共に、各メンバーM1〜M3の両脇に位置した２台のサイドテーブルＢ，Ｂの天板21，21の一部も自分用のスペースとして利用することができる。各サイドテーブルＢのコアテーブルＡに対する偏位レイアウトは、図17の場合とは逆向きにすることもできる。
【００３０】
図18は、１台のコアテーブルＡを使用して、ここでは３名のメンバーM1〜M3が打合せなどを行う場合を示した本発明テーブルシステムの第五例である。図19は１台のサイドテーブルＢを利用して３名のメンバーM1〜M3による打合せなどを行う場合を例示した本発明テーブルシステムの第六例である。サイドテーブルＢはその天板21の上，下辺21a，21bが対称形であるので、メンバーM1〜M3の着席位置に方向性がなく、使いやすい。
【００３１】
図18の例では、コアテーブルＡは、円形天板１の下に３本の脚２，３，４が設けられ、各脚２〜４の間に凹陥弯曲したガード部材５〜７が設けられた形態であるので、各脚２〜４の間に、夫々に担当者が着けば、小振りの天板１のコアテーブルＡであっても、３名で利用することができる。また、図19の例では、サイドテーブルＢが略レモン状をなす平面形状の天板21を持ち、天板下に垂下して設けられる脚23〜25と足26，27が、着席メンバーM1〜M3の夫々の脚に干渉することがないように、天板21下面の左右側端と中央部とを設けられているので、図19のような着席形態を実現できるのである。
【００３２】
図20は、１台のコアテーブルＡを中心に配し、このテーブルＡに対して、３台のサイドテーブルＢを平面から見て円弧状をなすように展開した状態でレイアウトした本発明テーブルシステムの第七例で、各サイドテーブルＢの天板21の前方側（上辺21aの側）に位置したホワイトボードやスクリーン等の表示物（図に表れず）に向って、各人M1〜M6が対面的に位置できるように各テーブルＡ，Ｂを配置したものである。
【００３３】
本発明テーブルシステムでは、上述したレイアウト例において、例えばプロジェクターやスキャナ等の機器を使用する場合には、図８〜図10に例示した専用のワゴンＣを用いると、各サイドテーブルＢやコアテーブルＡの天板１，21の利用できる面積を減少させたり機能を損うことがない。この場合、ワゴンＣはコアテーブルＡに対して、図11〜図13で例示した形態でレイアウトする。このレイアウトにおいてワゴンＣは、その天板31が前方側を逆Ｔ字状の１本脚32により、後方を２本の脚33，34で支持しているので、例えば、１台のコアテーブルＡの周囲に、図14，図15のように３台のサイドテーブルＢが環状配置されていても、２台のサイドテーブルＢの境界部位からコアテーブルＡに対し図11の平面態様でのレイアウトが可能である。この結果、コアテーブルＡに対してサイドテーブルＢがどのような態様で配置されていても、ワゴンＣは、そのサイドテーブルＢと干渉することなくコアテーブルＡに対して自由にレイアウトすることができるのである。
【００３４】
【発明の効果】
本発明は以上の通りであって、二種以上の高さ違いの天板を有するテーブルであって、コアになる一のテーブルの天板の平面形状が円形乃至は多角形状であると共に、他のテーブルの天板形状を、前記コアテーブルの周囲に配置したとき、全体として大きな円形天板と同等形状になるように形成、即ち、他のテーブルの天板を向う側の辺と手前側の辺が緩やかな円弧状乃至はその半径と同等乃至は近似した半径の多角形状で略ラクビーボール状の平面投影形状をなすように形成して、当該テーブルをサイドテーブルとし、前記各テーブルを適宜に組合せたり、単独で使用できるテーブルシステムを形成したので、複数の担当者が集合して共同作業をしたり、時には分散して個々の作業等を行うといった、いわゆるコラボレーション形態で逐行されるオフィス業務にきわめて好適である。
【００３５】
本発明では、コアテーブルの天板の下に、サイドテーブルの天板の辺とほぼ同等の半径で凹状に弯曲形成されたガード部材を周設すると共に、複数台のサイドテーブルをコアテーブルを中心として環状に配置したとき、各サイドテーブルの天板の一部がコアテーブルの天板の下に重なるように、コアテーブルとサイドテーブルの夫々の天板の平面形状と高さとを設定したので、両テーブルを集合したときあたかも大形の円形天板を有する１台のテーブルのように使用することができ、従って、複数メンバーによる共同作業に特に好適である。
【００３６】
また、上記の各テーブルは、天板と脚とを主要部材として形成され、かつ、夫々の脚にキャスタ等による移動手段を具備しているので、オフィス内で手軽かつ容易に移動させることができ、従って、共同作業のメンバーが集合したり、個々のメンバーが離散した態様で逐行されるコラボレーション形態の作業に効率よく対応することが出来る。
【００３７】
更に、サイドテーブルの天板を折畳み構造にしたものでは、不使用時の格納や保管などのスペースの効率を高めることができる。
【図面の簡単な説明】
【図１】  コアテーブルの平面図。
【図２】  図１のテーブルの正面図。
【図３】  図１のテーブルの右側面図。
【図４】  サイドテーブルの右半を断面にした平面図。
【図５】  図４のテーブルの正面図。
【図６】  図４のテーブルの右側面図。
【図７】  図４のテーブルの天板を折畳んだ右側面図。
【図８】  ワゴンの平面図。
【図９】  ワゴンの正面図。
【図10】  ワゴンの右側面図。
【図11】  コアテーブル、サイドテーブル、ワゴンを組合せた状態を説明するための平面図。
【図12】  コアテーブル、サイドテーブル、ワゴンを組合せた状態を説明するための正面図。
【図13】  コアテーブル、サイドテーブル、ワゴンを組合せた状態を説明するための右側面図。
【図14】  本発明テーブルシステムにおけるテーブルの配置態様とその使用例を示す第一例平面図。
【図15】  本発明テーブルシステムにおけるテーブルの配置態様とその使用例を示す第二例平面図。
【図16】  本発明テーブルシステムにおけるテーブルの配置態様とその使用例を示す第三例平面図。
【図17】  本発明テーブルシステムにおけるテーブルの配置態様とその使用例を示す第四例平面図。
【図18】  本発明テーブルシステムにおけるテーブルの配置態様とその使用例を示す第五例平面図。
【図19】  本発明テーブルシステムにおけるテーブルの配置態様とその使用例を示す第六例平面図。
【図20】  本発明テーブルシステムにおけるテーブルの配置態様とその使用例を示す第七例平面図。
【符号の説明】
Ａ            コアテーブル
Ｂ            サイドテーブル
Ｃ            ワゴン
１            コアテーブルＡの天板
２，３，４    脚
2a，3a，4a    キャスタ
５，６，７    ガード部材
８，９        棚板
10            回転軸
11            ホワイトボード
11a           手掛かり穴
21            サイドテーブルＢの天板
22            横フレーム
23，24        １本脚
25            センター脚支柱
26，27        足
23a，24a，26a，27a  自在キャスタ
28            梁状結合部材
31            ワゴンＣの天板
32            逆Ｔ字状の脚
33，34        三角形の底辺側の下の脚
35            棚
36，37        脚32の下部の足
33a，34a，36a，37a  自在キャスタ
M1〜M6        メンバー
【図１】
0004201496.tif 000002
【図２】
0004201496.tif 000003
【図３】
0004201496.tif 000004
【図４】
0004201496.tif 000005
【図５】
0004201496.tif 000006
【図６】
0004201496.tif 000007
【図７】
0004201496.tif 000008
【図８】
0004201496.tif 000009
【図９】
0004201496.tif 000010
【図１０】
0004201496.tif 000011
【図１１】
0004201496.tif 000012
【図１２】
0004201496.tif 000013
【図１３】
0004201496.tif 000014
【図１４】
0004201496.tif 000015
【図１５】
0004201496.tif 000016
【図１６】
0004201496.tif 000017
【図１７】
0004201496.tif 000018
【図１８】
0004201496.tif 000019
【図１９】
0004201496.tif 000020
【図２０】
0004201496.tif 000021